(57)【要約】【課題】両面印刷装置において、吸引搬送された用紙の搬送手段からの剥離性を向上させる。【解決手段】  両面印刷装置１は、用紙Ｐ１の一面に印刷する第１印刷部３と、その一面が印刷された用紙Ｐ２が搬入され、搬入された複数枚の用紙Ｐ２を互いに所定間隔を空けて重ねた状態で貯留する貯留部５と、貯留部５から搬出された用紙Ｐ２の他面に印刷する第２印刷部７とを備え、貯留部５が、その一面が印刷された用紙Ｐ２を順次吸引保持して貯留部５内の用紙剥離位置である搬入位置に搬送する第１搬送手段５１と、少なくともその第１搬送手段５１から用紙Ｐ２を剥離する時に、搬入位置に搬送された用紙Ｐ２の第１搬送手段５１側の面の一部を大気に開放する大気開放機構５ｆ、５ｇとを備える。【選択図】図３
2011073873.tif 000002
【特許請求の範囲】
【請求項１】
用紙の一面に印刷する第１の印刷手段と、
前記一面が印刷された用紙が搬入され、搬入された複数枚の用紙を互いに所定間隔を空けて重ねた状態で貯留する貯留部と、
該貯留部から搬出された用紙の他面に印刷する第２の印刷手段とを備え、
前記貯留部が、
前記一面が印刷された用紙を順次吸引保持して前記貯留部内の用紙剥離位置である搬入位置に搬送する搬送手段と、
少なくとも前記搬入位置に搬送された用紙を前記搬送手段から剥離する時に、前記搬入位置に搬送された用紙の前記搬送手段側の面の一部を大気に開放する大気開放機構と
を備えていることを特徴とする両面印刷装置。
【請求項２】
前記大気開放機構が、前記搬入位置に搬送された用紙の前記搬送手段側の面に対向する面内に形成された大気連通開口で構成されていることを特徴とする請求項１記載の両面印刷装置。
【請求項３】
前記搬送手段が、所定間隔を置いて並んで配設された、前記搬送の方向に向けて延びる２つの吸引搬送部を備えたものであり、
前記大気連通開口が、前記２つの吸引搬送部の間に位置していることを特徴とする請求項２記載の両面印刷装置。
【請求項４】
前記搬送手段が、前記吸引保持して搬送するための吸引室を備えたものであり、
前記大気連通開口が、前記吸引室内を貫通させて設けたダクトを介して大気に連通されているものであることを特徴とする請求項３記載の両面印刷装置。
【請求項５】
前記大気連通開口が、前記対向する面の上端および／または下端から上下方向中央に向けて延びた溝で形成されていることを特徴とする請求項３記載の両面印刷装置。
【請求項６】
前記搬送手段が、吸引孔が形成された搬送ベルトを備え、前記吸引孔に負圧を生成して前記用紙を吸引保持するものであり、
前記大気開放機構が、前記用紙の剥離時に前記吸引孔を大気に開放する吸引孔大気解放手段を備え、前記大気への開放により前記吸引孔を前記大気連通開口として用いるものであることを特徴とする請求項２記載の両面印刷装置。
【請求項７】
前記各吸引搬送部が、吸引孔が形成された搬送ベルトを備え、前記吸引孔に負圧を生成して前記用紙を吸引保持するものであり、
前記大気開放機構が、前記用紙の剥離時に前記吸引孔を大気に開放する吸引孔大気解放手段をさらに備え、前記大気への開放により前記吸引孔をも前記大気連通開口として用いるものであることを特徴とする請求項４または５記載の両面印刷装置。
【発明の詳細な説明】
【技術分野】
【０００１】
本発明は、用紙の一面及び他面に印刷を行う両面印刷装置に関し、特に一面が印刷された用紙を所定時間貯留し、その後搬送して他面を印刷する両面印刷装置に関するものである。
【背景技術】
【０００２】
近年、環境問題の観点等から印刷に使用する用紙の使用量を低減することが望まれており、用紙の一面及び他面に印刷を行う両面印刷が盛んである。この両面印刷装置の一例として、穿孔製版された孔版原紙を外周面に巻装した円筒状の第１ドラムと第２ドラムを隣接して配設し、第１ドラムで用紙の一面を印刷し、一面が印刷された用紙を搬送して第２ドラムで他面を印刷する両面孔版印刷装置が知られている。
【０００３】
このような両面印刷装置の場合、一面に印刷されたインクが十分に乾く前に他面への印刷を行なうと、用紙が汚れてしまう虞がある。
【０００４】
これに対して、特許文献１には、一面が印刷された用紙を積載台に順次積載し、所定時間貯留させた後、その積載された順に用紙を搬送して他面を印刷することにより、積載台にてインクを乾燥させる両面印刷装置が提案されている。
【先行技術文献】
【特許文献】
【０００５】
【特許文献１】特開２００５−２９３７５
【発明の概要】
【発明が解決しようとする課題】
【０００６】
このような両面印刷装置では、一面が印刷された用紙を積載台に搬送する際に、用紙の未印刷面側を吸引保持して搬送することにより、積載台内の所望の搬入位置にまで高速、かつ、正確に用紙を搬送することができる。
【０００７】
しかしながら、この吸引搬送された用紙をその用紙が吸着されていた搬送面から剥離する際に、用紙と搬送面の間に空気が流入し難く、剥がれミスが発生し、次に搬送された用紙と衝突する虞がある。この衝突は印刷速度が高速になるほど、特に顕著に発生する。
【０００８】
また、上記特許文献１の両面印刷装置では、一面のインクがまだ乾燥していない複数枚の用紙を積載台に積み重ねているため、印刷面の擦れや裏移り等により用紙が汚れてしまったり、用紙同士が密着して多重搬送が起こったりする虞がある。
【０００９】
本発明は、上記事情に鑑み、吸引搬送された用紙の搬送面に対する剥離性を向上できるとともに、印刷面の擦れや裏移りを防止できる両面印刷装置を提供することを目的とするものである。
【課題を解決するための手段】
【００１０】
本発明の両面印刷装置は、用紙の一面に印刷する第１の印刷手段と、その一面が印刷された用紙が搬入され、搬入された複数枚の用紙を互いに所定間隔を空けて重ねた状態で貯留する貯留部と、貯留部から搬出された用紙の他面に印刷する第２の印刷手段とを備え、貯留部が、その一面が印刷された用紙を順次吸引保持して貯留部内の用紙剥離位置である搬入位置に搬送する搬送手段と、少なくとも搬入位置に搬送された用紙を前記搬送手段から剥離する時に、搬入位置に搬送された用紙の搬送手段側の面の一部を大気に開放する大気開放機構とを備えていることを特徴とするものである。
【００１１】
上記装置において、大気開放機構は、搬入位置に搬送された用紙の搬送手段側の面に対向する面内に形成された大気連通開口で構成されているものであってもよい。
【００１２】
ここで、大気連通開口は、少なくとも前記剥離時に大気に連通したものであれば足りる。
【００１３】
また、搬送手段は、所定間隔を置いて並んで配設された、その搬送の方向に向けて延びる２つの吸引搬送部を備えたものであり、大気連通開口は、その２つの吸引搬送部の間に位置しているものであってもよい。
【００１４】
また、搬送手段は、吸引保持して搬送するための吸引室（負圧室）を備えたものであり、大気連通開口は、その吸引室内を貫通させて設けたダクトを介して大気に連通されているものであってもよい。
【００１５】
また、大気連通開口は、前記対向する面の上端および／または下端から上下方向中央に向けて延びた溝で形成されているものであってもよい。
【００１６】
また上記装置において、搬送手段が、吸引孔が形成された搬送ベルトを備え、その吸引孔に負圧を生成して用紙を吸引保持するものであり、大気開放機構が、前記用紙の剥離時にその吸引孔を大気に開放する吸引孔大気解放手段を備え、大気への開放により吸引孔を大気連通開口として用いるものであってもよい。
【００１７】
また、各吸引搬送部が、吸引孔が形成された搬送ベルトを備え、その吸引孔に負圧を生成して用紙を吸引保持するものであり、大気開放機構が、前記用紙の剥離時にその吸引孔を大気に開放する吸引孔大気解放手段をさらに備え、大気への開放により吸引孔をも大気連通開口として用いるものであってもよい。
【発明の効果】
【００１８】
本発明の両面印刷装置によれば、貯留部が、一面が印刷された用紙を順次吸引保持して貯留部内の用紙剥離位置である搬入位置に搬送する搬送手段と、少なくとも搬入位置に搬送された用紙を前記搬送手段から剥離する時に、搬入位置に搬送された用紙の搬送手段側の面の一部を大気に開放する大気開放機構とを備えているので、吸引搬送された用紙を剥離する際に、大気開放機構により用紙と該用紙が対向する搬送手段の一面（後述する搬入面）との間に空気が流入し、用紙の搬送手段からの剥離性を向上でき、剥がれミスを防止できる。
【００１９】
また、貯留部が、一面が印刷された複数枚の用紙を互いに所定間隔を空けて重ねた状態で貯留するので、印刷された面つまりインクが転写された面を他の用紙に接触させることなく複数枚の用紙を貯留してインクを乾燥させることができ、印刷面の擦れや裏移りを防止できると共にインクが多く転写された用紙であってもインクを早く乾燥させて高速印刷を可能にできる。
【００２０】
なお、上記装置において、所定間隔を置いて並んで配設された、搬送方向に向けて延びる２つの吸引搬送部により一枚の用紙を搬送するようにすれば、用紙を所望の搬送位置にまで斜行することなく安定して搬送することが可能となる一方、それらの吸引搬送部の間に空気が流入し難くなり、剥がれミスが発生する虞がある。
【００２１】
そこで、本発明の両面印刷装置によれば、搬送手段が、所定間隔を置いて並んで配設された、前記搬送の方向に向けて延びる２つの吸引搬送部を備えたものである場合に、大気連通開口を、それらの２つの吸引搬送部の間に設けているので、用紙を所望の搬送位置にまで斜行することなく安定して搬送できるようにするとともに、吸引搬送された用紙を剥離する際に、用紙と搬送手段との間であって、特に空気が流入し難くなっている２つの吸引搬送部の間への空気の流入を可能とし、剥がれミスによる用紙の衝突を防止することができる。
【図面の簡単な説明】
【００２２】
【図１】両面印刷装置の概略構成図
【図２】貯留部の概略構成図
【図３】貯留部の用紙搬入部分を内側からみた斜視図
【図４】貯留部の用紙搬入部分を外側からみた斜視図
【図５】ダクトを介して大気に連通された大気連通開口を説明するための図
【図６】ハウジング内の空気の流れを示す図
【図７】溝で形成されている大気連通開口を説明するための図
【図８】吸引搬送時におけるハウジング内の空気の流れを示す図
【図９】剥離時におけるハウジング内の空気の流れを示す図
【発明を実施するための形態】
【００２３】
以下、本発明の一実施形態である両面印刷装置１について図を参照しながら説明する。図１は、両面印刷装置１の概略構成を示す図であり、図２は、両面印刷装置１の貯留部５の構成をより詳細に示す図である。
【００２４】
両面印刷装置１は、両面孔版印刷装置であり、未印刷の用紙Ｐ１を給紙して一面に印刷し、その一面印刷後の用紙Ｐ２を所定時間貯留し、用紙Ｐ２を再給紙して他面に印刷し、その他面印刷後の用紙Ｐ３を排紙するものである。
【００２５】
両面印刷装置１は、未印刷の用紙Ｐ１を給紙する給紙部２と、給紙部２から給紙された用紙Ｐ１の一面に印刷する第１印刷部３と、第１印刷部３で一面に印刷された用紙Ｐ２を反転させる反転搬送部４と、反転された用紙Ｐ２を所定時間貯留する貯留部５と、貯留部５に貯留された用紙Ｐ２を再給紙する再給紙部６と、再給紙部６から再給紙された用紙Ｐ２の他面に印刷する第２印刷部７と、第２印刷部７で他面に印刷された用紙Ｐ３を排紙する排紙部８とから構成されている。
【００２６】
給紙部２は、未印刷の用紙Ｐ１を第１印刷部３に給紙するものであり、用紙Ｐ１を積載する給紙台２１と、この給紙台２１から用紙Ｐ１を一枚ずつ取り出す給紙ローラ２２と、紙捌きローラ２３と、用紙Ｐ１を第１印刷部３に送り込むタイミングローラ対２４とから構成されている。
【００２７】
給紙部２は、給紙台２１に積載された用紙Ｐ１を給紙ローラ２２および紙捌きローラ２３によって取り出し、タイミングローラ対２４によって所定のタイミングで第１印刷部３へ送り込む。
【００２８】
第１印刷部３は、用紙Ｐ１の一面に印刷するものであり、第１版胴３１を備えている。この第１版胴３１は、インク透過性の周壁３１ａを有し、図示しない駆動手段により回転駆動される。第１版胴３１の内部には、周壁３１ａの内周面に接するインク供給ローラ３２と、このインク供給ローラ３２へインクを所定量供給するドクターローラ３３と、インクが充填されたインクボトル３４が設けられている。
【００２９】
また、第１版胴３１の外周面には穿孔された孔版原紙Ｍが巻装されている。第１版胴３１の下方には、プレスローラ３５が設けられ、このプレスローラ３５が第１版胴３１と近接離間するように移動することで、用紙Ｐ１を所定の押圧力で挟持して印刷する。第１版胴３１の右下方には、第１印刷部３で一面が印刷された用紙Ｐ２を原紙Ｍから分離させる分離爪３６が設けられている。
【００３０】
第１印刷部３は、給紙部２から所定のタイミングで用紙Ｐ１が送り込まれると、第１版胴３１とプレスローラ３５とで用紙Ｐ１を挟持搬送し、原紙Ｍに用紙Ｐ１を押圧して印刷する。一面が印刷された用紙Ｐ２は、分離爪３６によって原紙Ｍから分離される。
【００３１】
反転搬送部４は、一面が印刷された用紙Ｐ２を貯留部５へ搬送するとともに、その印刷された面が下方となるように反転させるものであり、下方へ回り込むような円弧状の反転搬送経路に沿って配設された４個のプーリー４１と、表面に複数の孔が形成されており、４個のプーリー４１の外周に架け渡されてプーリー４１の回転に伴って動く搬送ベルト４２と、吸引ファン４３とを備えている。
【００３２】
この反転搬送部４は、プーリー４１を回転させて搬送ベルト４２を動かすとともに、吸引ファン４３で搬送ベルト４２に形成されている複数の孔に吸引力を発生させることにより、用紙Ｐ２を吸引保持して搬送する。
【００３３】
貯留部５は、反転搬送部４により搬送されてきた用紙Ｐ２をその内部に搬入し、用紙Ｐ２を乾燥させるために所定時間貯留し、再給紙のために搬出するものであり、図２に示すように、第１搬送手段５１、カール付与手段５２、保持移動手段５３、戻り防止手段５５、第２搬送手段５６等から構成されている。図３、図４は、貯留部５全体のうち用紙Ｐ２が搬入される部分の構成を示す図である。
【００３４】
また、貯留部５は、用紙Ｐ２を斜め下方から支持する支持板５ａと、この支持板５ａの両側で支持板５ａに対して略垂直に立設する側板５ｂと、この支持板５ａに対して斜め上方に傾いて位置する覆板５ｃとを有している。また、この覆板５ｃの内面で搬入時に用紙Ｐ２がその上を移動する搬入面５ｄと、支持板５ａの内面で搬出時に用紙Ｐ２がその上を移動する搬出面５ｅを有している。
【００３５】
第１搬送手段５１は、反転搬送部４により搬送されてきた用紙Ｐ２を順次吸引保持して貯留部５内の用紙剥離位置である搬入位置（用紙Ｐ２を搬入し終わった位置であって、保持移動手段５３によって用紙の下端部が保持される位置）に搬送するものであり、その搬送方向に沿って配設されたハウジング５１１Ａおよび５１１Ｂを備える。このハウジング５１１Ａ、５１１Ｂは、覆板５ｃに固定され、覆板５ｃと、後述する搬送ベルト５１３Ａ、５１３Ｂとでそれぞれ用紙Ｐ２を吸引搬送するための吸引室を構成する。
【００３６】
ハウジング５１１Ａの内部には、所定間隔を置いて並んで配設された、搬送方向に向けて延びる２つの搬送ベルト５１３Ａ（吸引搬送部）が設けられている。この各搬送ベルト５１３Ａは、一対のプーリー５１２Ａに掛け渡されており、このプーリー５１２Ａを回転させて搬送ベルトを動かすとともに、吸引ファン５１５Ａで各搬送ベルト５１３Ａの表面に形成されている複数の吸引孔５１３ａに負圧を生成することにより、用紙Ｐ２が吸引搬送される。また、ハウジング５１１Ａの内部には、たとえば図５に示すようなダクト５１８がそのハウジング５１１Ａ内を貫通させて設けられている。
【００３７】
なお、覆板５ｃには、搬送ベルト５１３Ａが露出するようにスロットが形成されており、一対のプーリー５１２Ａは、露出する搬送ベルト５１３Ａの面が用紙Ｐ２の搬入面５ｄと略平坦となるように、ハウジング５１１Ａ内で配置されている。
【００３８】
覆板５ｃに固定されて略密閉状態であるハウジング５１１Ａには、そのハウジング５１１Ａ外に配置され、ハウジング５１１Ａ内を吸気してハウジング５１１Ａ内を負圧状態にさせる吸気ファン５１５Ａと、ハウジング５１１Ａと吸気ファン５１５Ａとの間に設けられ、吸気ファン５１５Ａによる吸気を制御する吸気シャッター５１６Ａと、吸引保持していた用紙Ｐ２の剥離時に負圧状態となったハウジング５１１Ａ内を大気に開放して大気圧に戻す負圧開放扉５１７Ａが設けられている。
【００３９】
この負圧開放扉５１７Ａの開閉は、吸気シャッター５１６Ａの開閉に連動しており、用紙を搬送面から剥離する際に、吸気シャッター５１６Ａが閉じると、負圧開放扉５１７Ａが開き、ハウジング５１１Ａ内を大気に開放する。これにより、吸引孔５１３ａが大気に開放され、搬送ベルト５１３Ａ等により吸引保持された用紙は、その吸引孔５１３ａと対向する部分において大気に開放された状態となる。この負圧開放扉５１７と吸引孔５１３ａは、剥離時に搬入位置に搬送された用紙Ｐ２の第１搬送手段５１側の面の一部を大気に開放する大気開放機構を構成している。なお、負圧開放扉５１７Ａの開閉構造は、後述する負圧開放扉５１７Ｂの開閉構造と同じである。
【００４０】
また、覆板５ｃには、図３に示すように、２つの搬送ベルト５１３Ａの間に多数の開口５ｆ（本実施例では１０個）が形成されており、これらの開口５ｆは、ハウジング５１１Ａ内を貫通させて設けたダクト５１８を介して大気に常時連通している。図６は、図５のＡ−Ａ線断面図であり、ハウジング５１１Ａ内の空気の流れを示すものである。図中矢印Ｓは、吸引搬送時における空気の流れを示すものであり、図中矢印Ｈは、剥離時における空気の流れを示すものである。なお図６では、理解を容易にするため、覆板５ｃと吸引ファン５１５Ａを併せて図示している。
【００４１】
これにより、２つの搬送ベルト５１３Ａ等により吸引保持された用紙は、開口５ｆと対向する部分において大気に常時開放された状態となる。この複数の開口５ｆとダクト５１８は、少なくとも剥離時に搬入位置に搬送された用紙Ｐ２の第１搬送手段５１側の面の一部を大気に開放する大気開放機構を構成している。
【００４２】
ハウジング５１１Ｂは、ダクトではなく、たとえば図３に示すような溝５１９が形成されている点においてハウジング５１１Ａと相違するが、他の構成はハウジング５１１Ａと略同様である。
【００４３】
ハウジング５１１Ｂには、図３及び図７に示すように、覆板５ｃの２つの搬送ベルト５１３Ｂの間に、その覆板５ｃ下端から上方中央付近に亘って延びた溝５１９が設けられている。溝５１９はその下端部が大気に常時開放された構造であるため、この溝５１９により形成された覆板５ｃ上の開口５ｇも大気に常時連通する。これにより、２つの搬送ベルト５１３Ｂ等により吸引保持された用紙は、開口５ｇと対向する部分において大気に常時開放された状態となる。なお、この開口５ｇと溝５１９も、少なくとも剥離時に搬入位置に搬送された用紙Ｐ２の第１搬送手段５１側の面の一部を大気に開放する大気開放機構を構成する。
【００４４】
また、ハウジング５１１Ｂにも、ハウジング５１１Ａの場合と同様に、負圧開放扉等から構成される大気開放機構が形成されている。図８と図９は、図７のＢ−Ｂ線断面図であり、吸引搬送時と剥離時におけるハウジング５１１Ｂの、吸気シャッター５１６Ｂおよび負圧開放扉５１７Ｂの開閉状態と、それによるハウジング５１１Ｂ内の空気の流れを示すものである。図中矢印Ｓは、吸引搬送時における空気の流れを示すものであり、図中矢印Ｈは、剥離時における空気の流れを示すものである。なお図８と図９では、理解を容易にするため、覆板５ｃと吸引ファン５１５Ｂを併せて図示している。
【００４５】
上記構成により、反転搬送部４から貯留部５内に用紙Ｐ２が搬送されると、吸気シャッター５１６Ａ、５１６Ｂを開き、ハウジング５１１Ａ、５１１Ｂ内を吸気して負圧状態にする。負圧状態であるハウジング５１１Ａ、５１１Ｂ内には、搬入面５ｄに露出する搬送ベルト５１３Ａ、５１３Ｂの吸引孔５１３ａ、５１３ｂを介して貯留部５内から空気が流入する。
【００４６】
すると、搬入された用紙Ｐ２は、吸引孔５１３ａ、５１３ｂから搬送ベルト５１３Ａ、５１３Ｂに向けて吸引される。不図示の駆動手段がプーリー５１２Ａ、５１２Ｂを駆動させることにより、一面が印刷された用紙Ｐ２が、露出された搬送ベルト５１３Ａ、５１３Ｂと略平坦な搬入面５ｄ上を移動する。
【００４７】
用紙Ｐ２が貯留部５内の用紙剥離位置である搬入位置に搬入されると、吸気シャッター５１６Ａ、５１６Ｂを閉じて負圧開放扉５１７Ａ、５１７Ｂを開き、ハウジング５１１Ａ、５１１Ｂ内を大気圧に戻し、その後、強制剥離爪５１４Ａ、５１４Ｂを搬入面５ｄ上に突出させることにより、搬入面５ｄから用紙Ｐ２を剥離する。なお、本実施形態では、吸気ファン５１５Ａ、５１５Ｂは常時駆動しているものとして説明する。
【００４８】
カール付与手段５２は、貯留部５に搬入された用紙Ｐ２にその印刷された一面を内側にして湾曲するカールを付与するものであり、図３に示す通り、覆板５ｃの左右の下端側に設けられた、その覆板５ｃから斜め下方に羽根状に延びるガイド板５２３から構成されている。
【００４９】
用紙Ｐ２は第１搬送手段５１によって搬入位置に吸引搬送されるときに、この用紙Ｐ２の左右の下端部がガイド板５２３の面に沿って搬入され、用紙Ｐ２の中央部よりも斜め下方に押し出されつつ搬送される。これにより、用紙Ｐ２には印刷された一面を内側にして湾曲するカールが付与される。
【００５０】
このようにカールを付与することにより、後述する保持移動手段５３において用紙Ｐ２の下端を支持して立たせた状態にして保持・移動させる際に、上下方向の断面が湾曲する腰折れが生じ難くなり、その立った状態を維持させることができる。
【００５１】
保持移動手段５３は、搬入位置に１枚ずつ搬入された各用紙Ｐ２を順次保持して互いに所定間隔を空けて重ねた状態で搬入位置から搬出位置に向けて移動させるものであり、一方が搬入位置近傍に配置され、他方が搬出位置近傍に配置された一対のプーリー５３１と、この一対のプーリー５３１の外周に掛け渡されて、不図示の駆動手段によるプーリー５３１の回転に伴って動く環状ベルト５３２とを備えている。ここで、搬入位置は、用紙Ｐ２が搬入面５ｄに沿って搬入されてきて保持移動手段５３の凹部５３５に挿入されたときにその用紙Ｐ２が存在する位置をいい、搬出位置は、用紙Ｐ２が保持移動手段５３により搬出面５ｅ側に移動されて搬出面５ｅに到来したときにその用紙Ｐ２が存在する位置をいう。
【００５２】
また、この環状ベルト５３２の全外周面には、複数のプレート５３３が互いに所定間隔を空けて略垂直に立設している。この各プレート５３３は、隣接するプレート５３３に向けて延びる板バネ状の爪片５３４を有している。この爪片５３４は、環状ベルト５３２が直線走行している部分、すなわち隣接するプレート５３３同士が互いに並行になっている部分では、隣接するプレート５３３に弾性変形した状態で押し付けられ、環状ベルト５３２が曲線走行している部分、すなわちプレート５３３同士の間が広がっている部分では、隣接するプレート５３３から離れた状態になるようになっている。
【００５３】
搬入位置に順次搬入される用紙Ｐ２は、爪片５３４と隣接するプレート５３３間の凹部５３５に一枚ずつ挿入される。搬入位置近傍において環状ベルト５３２が曲線走行している部分では、隣接するプレート５３３がそれぞれの位置においてプーリー５３１の半径方向を向くため、爪片５３４と隣接するプレート５３３との間隔が用紙Ｐ２の厚みよりも広がり、用紙Ｐ２の下端部Ｐ２Ｌを凹部５３５に受け入れることができる。
【００５４】
用紙Ｐ２が凹部５３５に搬入された後、不図示の駆動手段によりプーリー５３１を回転させると、そのプレート５３３が環状ベルト５３２の直線走行している部分に移動し、爪片５３４と隣接するプレート５３３との間隔が用紙Ｐ２の厚みよりも狭くなり、爪片５３４が隣接するプレート５３３側に押し付けられ、凹部５３５に搬入された用紙Ｐ２の下端部Ｐ２Ｌが爪片５３４と隣接するプレート５３３の間に挟まれた状態で保持される。
【００５５】
プーリー５３１が更に回転し、そのプレート５３３が搬出位置近傍において環状ベルト５３２が曲線走行している部分にまで移動すると、再び爪片５３４と隣接するプレート５３３との間隔が用紙Ｐ２の厚みよりも広くなり、用紙Ｐ２の下端部Ｐ２Ｌの保持が解除される。
【００５６】
この用紙Ｐ２の搬入面５ｄから搬出面５ｅへの移動時間によって、用紙Ｐ２の印刷された一面が乾燥する。
【００５７】
戻り防止手段５５は、搬入位置に搬入された用紙Ｐ２の上端部をその搬入面５ｄから剥離させるとともに、その上端部が再び搬入面５ｄ側に戻らないように規制するものであり、搬入位置における用紙Ｐ２の上端部の近傍に、駆動軸５５１と、略半円状であって略半円の中心位置で駆動軸５５１に固定されるカム５５２と、カム５５２の円周近傍でカム５５２に対して回転自在に連結された可動ガイド５５３と、可動ガイド５５３に形成されたスロット５５３ａに挿入され、可動ガイド５５３の軌道を導く第１ガイド軸５５４とを備えている。
【００５８】
また、戻り防止手段５５は、搬入位置における用紙Ｐ２の上端部の近傍に、回転軸５５５と、回転軸５５５に固定支持された剥離爪５５６と、一方が回転軸５５５に固定され、不図示のバネにより付勢されているレバー５５７と、一方がレバー５５７と回転自在に連結し、他方がカム５５２の外周面５５２ａに当接するリンク５５８と、リンク５５８に形成されたスロット５５８ａに挿入され、リンク５５８の軌道を導く第２ガイド軸５５９とを備えている。
【００５９】
上記構成により、戻り防止手段５５においては、まず、剥離爪５５６は搬入面５ｄに対して略平行となるように搬入面５ｄから引っ込み、可動ガイド５５３は搬出面５ｅ上で上端部同士が重なって積載されている用紙の上端部を搬出面５ｅ側へ押さえつけた状態で待機される。用紙Ｐ２が搬入位置に搬送されると、剥離爪５５６が突出し、用紙Ｐ２の上端部を搬入面５ｄから剥離するとともに、可動ガイド５５３が剥離される用紙Ｐ２の上端側を回りこむようにして搬入面５ｄと用紙Ｐ２の上端部との間に入り、用紙Ｐ２の上端部が再び搬入面５ｄ側に戻ることを規制する。その後、剥離爪５５６が引っ込み、可動ガイド５５３が用紙Ｐ２の上端部を搬出面５ｅ側へ押さえつけた待機状態に戻る。この一連の動作サイクルは、用紙Ｐ２が搬入位置に搬送される度に繰り返される。
【００６０】
第２搬送手段５６は、保持移動手段５３により搬出位置に移動された用紙Ｐ２を貯留部５内から再給紙部６へ搬出するものであり、ハウジング５６１が支持板５ａに固定されている点および搬出面５ｅから用紙Ｐ２を強制剥離させる必要がないため、剥離爪を有さない点において第１搬送手段５１と相違するが、他の構成は第１搬送手段５１と略同様であり、その詳細な説明は省略する。
【００６１】
第２搬送手段５６は、後述する第２印刷部７の第２版胴７１が所定位置にあるタイミングで搬出面５ｅ上の用紙Ｐ２を搬出面５ｅ上で移動させて貯留部５内から搬出させる。用紙Ｐ２を搬出させる動作は、第１搬送手段５１と略同様であり、その詳細な説明は省略する。
【００６２】
再給紙部６は、貯留された用紙Ｐ２を第２印刷部７へ再給紙するものであり、貯留部５から搬出された用紙Ｐ２をピックアップするピックアップローラ対６１と、ピックアップした用紙Ｐ２を所定のタイミングで第２印刷部７へ送り込むタイミングローラ対６２とから構成されている。
【００６３】
再給紙部６では、ピックアップローラ対６１が第２搬送手段５６から搬出された用紙Ｐ２を順次ピックアップし、タイミングローラ対６２がピックアップされた用紙Ｐ２を所定のタイミングで第２印刷部７へ送り込む。
【００６４】
第２印刷部７は、貯留された用紙Ｐ２の他面に印刷するものである。この第２印刷部７の構成および動作は、第１印刷部３と同様であり、その詳細な説明は省略する。
【００６５】
排紙部８は、他面が印刷された用紙Ｐ３を排紙するものであり、第２印刷部７によって他面が印刷された用紙Ｐ３を搬送する排紙搬送手段８１と、装置本体１１の側方に設けられ、用紙Ｐ３を積載する排紙台８２とから構成されている。排紙搬送手段８１は、駆動ローラ８１ａと、従動ローラ８１ｂと、搬送ベルト８１ｃと、吸引ファン８１ｄとから構成されている。
【００６６】
排紙部８は、第２印刷部７によって他面が印刷された用紙Ｐ３が搬送ベルト８１ｃ上に供給されると、吸引ファン８１ｄにより用紙Ｐ３を吸着搬送して排紙台８２に積載する。
【００６７】
以下、この両面印刷装置１の全体動作について説明する。給紙部Ｐ２が未印刷の用紙Ｐ１を第１印刷部３に給紙し、第１印刷部３が用紙Ｐ１の一面に印刷する。反転搬送部４が、印刷された用紙Ｐ１の一面が下方となるように、用紙Ｐ２を反転させて貯留部５へ搬送する。
【００６８】
貯留部５では、第１搬送手段５１が用紙Ｐ２の一面を下方にして最下方位置まで吸引搬送する。この時、カール付与手段５２によって用紙Ｐ２には、印刷された一面を内側にして湾曲するカールが付与される。
【００６９】
搬入位置に搬入された用紙Ｐ２は、保持移動手段５３によってその下端部が保持され、搬出位置側に移動される。そのとき、上述した種々の大気開放機構により、用紙Ｐ２の第１搬送手段５１の面の一部を大気に開放するとともに、用紙Ｐ２が強制剥離爪５１４Ａ等によって搬入面５ｄから剥離される。また、用紙Ｐ２の上端部は、戻り防止手段５５によって搬入面５ｄから剥離されるともに、再び搬入面５ｄに戻らないように規制される。
【００７０】
第２搬送手段５６が搬出位置に移動された用紙Ｐ２を貯留部５内から再給紙部６へ搬出し、再給紙部６が所定のタイミングで第２印刷部７へ用紙Ｐ２を再給紙する。第２印刷部７が用紙Ｐ２の他面に印刷し、排紙部８が他面を印刷された用紙Ｐ３を排紙する。なお、両面印刷装置１は、１分間に約１００枚程度のサイクルで用紙Ｐ１の一面および他面を印刷することができる。
【００７１】
以上に述べた通り、本発明の実施形態である両面印刷装置１によれば、貯留部５が、一面が印刷された用紙を順次吸引保持して貯留部内の用紙剥離位置である搬入位置に搬送する第１搬送手段５１と、少なくとも搬入位置に搬送された用紙Ｐ２を第１搬送手段５１から剥離する時に、搬入位置に搬送された用紙の第１搬送手段５１側の面の一部を大気に開放する大気開放機構、具体的には、負圧開放扉５１７と吸引孔５１３ａ、開口５ｆとダクト518、開口５ｇと溝５１９等を備えているので、吸引搬送された用紙を剥離する際に、大気開放機構により用紙Ｐ２とその用紙Ｐ２が対向する第１搬送手段５１の一面（搬入面）との間に空気が流入し、用紙Ｐ２の第１搬送手段５１からの剥離性を向上でき、剥がれミスを防止できる。
【００７２】
また、貯留部５が、一面が印刷された複数枚の用紙を互いに所定間隔を空けて重ねた状態で保持する保持移動手段５３を備えているので、印刷された面つまりインクが転写された面を他の用紙に接触させることなく複数枚の用紙を貯留してインクを乾燥させることができ、印刷面の擦れや裏移りを防止できると共にインクが多く転写された用紙であってもインクを早く乾燥させて高速印刷を可能にできる。
【００７３】
また、第１搬送手段５１が、所定間隔を置いて並んで配設された、その搬送の方向に向けて延びる２つの搬送ベルト５１３Ａ等を備えたものであり、大気連通開口５ｆ、５ｇが、それらの２つの搬送ベルト５１３Ａ等の間に位置しているので、用紙Ｐ２を所望の搬送位置にまで斜行することなく安定して搬送できるようにするとともに、吸引搬送された用紙を剥離する際に、用紙と第１搬送手段５１との間であって、特に空気が流入し難くなっている２つの搬送ベルト５１３Ａの間への空気の流入を可能とし、剥がれミスによる用紙の衝突を防止することができる。
【００７４】
なお、本願発明において、複数枚の用紙を互いに所定間隔を空けて重ねた状態というのは、少なくとも各用紙の実質的に印刷されている部分が隣の用紙面から離れている状態をいい、たとえば図２に示すような、一部の印刷されてない端部のみが隣の用紙と接触している状態は、本願発明でいう所定の間隔を空けて重ねた状態とみなす。
【００７５】
また、戻り防止手段５５は、必要に応じて設ければよいものであって、本発明において必ずしも必要なものではない。
【００７６】
なお、本実施形態では、両面印刷装置１を両面孔版印刷装置として説明したが、特にこれに限定されるものではなく、未印刷の用紙Ｐ１の一面および他面に印刷が可能なインクジェットプリンタ等であっても構わない。
【符号の説明】
【００７７】
Ｐ１、Ｐ２、Ｐ３    用紙
１   両面印刷装置
３   第１印刷部
５   貯留部
５ｄ 搬入面
５ｅ 搬出面
５ｆ 大気連通開口
５ｇ 大気連通開口
７   第２印刷部
５１ 第１搬送手段
５２ カール付与手段
５３ 保持移動手段
５５ 戻り防止手段
５６ 第２搬送手段
５１１       ハウジング
５１３       搬送ベルト
５１８       ダクト
５１９       溝
５５３       可動ガイド
５５６       剥離爪
【図１】
2011073873.tif 000003
【図２】
2011073873.tif 000004
【図３】
2011073873.tif 000005
【図４】
2011073873.tif 000006
【図５】
2011073873.tif 000007
【図６】
2011073873.tif 000008
【図７】
2011073873.tif 000009
【図８】
2011073873.tif 000010
【図９】
2011073873.tif 000011